(57)【要約】【課題】映像信号記録再生装置の負担を増大させずに、動きの滑らかな映像を表示すると共に、高い圧縮率で映像信号を圧縮して長時間記録可能な監視カメラ装置および映像信号記録再生装置を提供する。【解決手段】映像信号のフレームレートを第１のフレームレートに間引くと共に画像サイズを第１の画像サイズに縮小する第１のフレーム間引き画像サイズ縮小手段５と、映像信号のフレームレートを第１のフレームレートよりも低い第２のフレームレートに間引くと共に画像サイズを第１の画像サイズよりも大きい第２の画像サイズに縮小する第２のフレーム間引き画像サイズ縮小手段と、第１のフレーム間引き画像サイズ縮小手段５からの映像信号を符号化してライブ用映像信号とし、第２のフレーム間引き画像サイズ縮小手段６からの映像信号を符号化して記録用映像信号として送信する符号化圧縮手段８とを備える。【選択図】図１
2013225796.tif 000002
【特許請求の範囲】
【請求項１】
撮像された映像信号のフレームレートを第１のフレームレートに間引くと共に画像サイズを第１の画像サイズに縮小する第１のフレーム間引き画像サイズ縮小手段と、
撮像された映像信号のフレームレートを前記第１のフレームレートよりも低い第２のフレームレートに間引くと共に画像サイズを前記第１の画像サイズよりも大きい第２の画像サイズに縮小する第２のフレーム間引き画像サイズ縮小手段と、
前記第１のフレーム間引き画像サイズ縮小手段からの映像信号を符号化してライブ用映像信号として送信すると共に、前記第２のフレーム間引き画像サイズ縮小手段からの映像信号を符号化して記録用映像信号として送信する符号化圧縮手段とを備えた
ことを特徴とする監視カメラ装置。
【請求項２】
撮像された映像信号のフレームレートを第１のフレームレートに間引くと共に画像サイズを第１の画像サイズに縮小する第１のフレーム間引き画像サイズ縮小手段と、
撮像された映像信号のフレームレートを前記第１のフレームレートよりも低い第２のフレームレートに間引くと共に画像サイズを前記第１の画像サイズよりも大きい第２の画像サイズに縮小する第２のフレーム間引き画像サイズ縮小手段と、
前記第１のフレーム間引き画像サイズ縮小手段からの映像信号を第１の圧縮率で符号化してライブ用映像信号として送信する第１の符号化圧縮手段と、
前記第２のフレーム間引き画像サイズ縮小手段からの映像信号を前記第１の圧縮率よりも高い第２の圧縮率で符号化して記録用映像信号として送信する第２の符号化圧縮手段とを備える
ことを特徴とする監視カメラ装置。
【請求項３】
送信されたライブ用映像信号を受信すると共に、前記ライブ用映像信号より、低いフレームレートかつ大きな画像サイズに変換されて送信された記録用映像信号を受信する映像信号記録再生装置であって、
前記記録用映像信号を記録する記録媒体と、
受信した前記ライブ用映像信号と前記記録媒体に記録されている記録用映像信号を切り替えて出力するモニタ切り替え手段とを備えた
ことを特徴とする映像信号記録再生装置。
【請求項４】
送信されたライブ用映像信号を受信すると共に、前記ライブ用映像信号より、低いフレームレート、大きな画像サイズかつ高い圧縮率で符号化されて送信された記録用映像信号を受信する映像信号記録再生装置であって、
前記記録用映像信号を記録する記録媒体と、
受信した前記ライブ用映像信号と前記記録媒体に記録されている記録用映像信号を切り替えて出力するモニタ切り替え手段とを備えた
ことを特徴とする映像信号記録再生装置。
【発明の詳細な説明】
【技術分野】
【０００１】
この発明は、監視エリアの映像を撮像し、映像信号を生成して送信する監視カメラ装置および監視カメラ装置から送信された映像信号を記録および再生する映像信号記録再生装置に関するものである。
【背景技術】
【０００２】
従来の監視カメラシステムでは、ライブ用映像信号と記録用映像信号とで異なるフレームレートや画像サイズが要求されることに対処するため、映像信号を符号化圧縮する手段を２系統設けるようにしている。
例えば特許文献１には、低い圧縮率により映像信号を符号化してフレームレートが高い映像を表示するための第１のモードと、高い圧縮率により映像信号を圧縮して長時間記録するための第２のモードとを備え、使用者により監視カメラ装置ごとに任意のモードが選択され、ライブ用映像信号および記録用映像信号についてフレームレートや画像サイズをある程度自由に設定することが可能な映像信号記録再生システムについて開示されている。
【先行技術文献】
【特許文献】
【０００３】
【特許文献１】特開２００６−４２２２４号公報
【発明の概要】
【発明が解決しようとする課題】
【０００４】
しかしながら、例えば特許文献１のような従来の映像信号記録表示システムは、第１のモードが選択される場合、映像信号記録再生装置において映像信号を記録する際に、映像信号を長時間記録するためにフレームレートが高い映像信号からフレームを間引く処理が必要となり、映像信号記録再生装置の負荷が増大するという課題があった。
一方、第２のモードが選択される場合には、映像信号記録再生装置の付加は増大しないものの、ライブ表示される映像のフレームレートが半減しており、動きが滑らかな映像を表示することができなくなるという課題があった。
【０００５】
この発明は、上記のような課題を解決するためになされたものであり、映像信号記録再生装置の負担を増大させずに、動きの滑らかな映像を表示すると共に、高い圧縮率により映像信号を圧縮して長時間記録することが可能な監視カメラ装置および映像信号記録再生装置を提供することを目的とする。
【課題を解決するための手段】
【０００６】
上記の目的を達成するため、この発明に係る監視カメラ装置は、撮像された映像信号のフレームレートを第１のフレームレートに間引くと共に画像サイズを第１の画像サイズに縮小する第１のフレーム間引き画像サイズ縮小手段と、撮像された映像信号のフレームレートを前記第１のフレームレートよりも低い第２のフレームレートに間引くと共に画像サイズを第１の画像サイズよりも大きい第２の画像サイズに縮小する第２のフレーム間引き画像サイズ縮小手段と、前記第１のフレーム間引き画像サイズ縮小手段からの映像信号を符号化してライブ用映像信号として送信すると共に、前記第２のフレーム間引き画像サイズ縮小手段からの映像信号を符号化して記録用映像信号として送信する符号化圧縮手段とを備えたことを特徴とする。
【０００７】
また、この発明に係る監視カメラ装置は、撮像された映像信号のフレームレートを第１のフレームレートに間引くと共に画像サイズを第１の画像サイズに縮小する第１のフレーム間引き画像サイズ縮小手段と、撮像された映像信号のフレームレートを前記第１のフレームレートよりも低い第２のフレームレートに間引くと共に画像サイズを第１の画像サイズよりも大きい第２の画像サイズに縮小する第２のフレーム間引き画像サイズ縮小手段と、前記第１のフレーム間引き画像サイズ縮小手段からの映像信号を第１の圧縮率で符号化してライブ用映像信号として送信する第１の符号化圧縮手段と、前記第２のフレーム間引き画像サイズ縮小手段からの映像信号を第１の圧縮率よりも高い第２の圧縮率で符号化して記録用映像信号として送信する第２の符号化圧縮手段とを備えることを特徴とする。
【０００８】
また、この発明に係る映像信号記録再生装置は、送信されたライブ用映像信号を受信すると共に、前記ライブ用映像信号より、低いフレームレートかつ大きな画像サイズに変換されて送信された記録用映像信号を受信する映像信号記録再生装置であって、前記記録用映像信号を記録する記録媒体と、受信した前記ライブ用映像信号と記録用映像信号を切り替えて出力するモニタ切り替え手段とを備えたことを特徴とする。
【０００９】
また、この発明に係る映像信号記録再生装置は、送信されたライブ用映像信号を受信すると共に、前記ライブ用映像信号より、低いフレームレート、大きな画像サイズかつ高い圧縮率で符号化されて送信された記録用映像信号を受信する映像信号記録再生装置であって、前記記録用映像信号を記録する記録媒体と、受信した前記ライブ用映像信号と記録用映像信号を切り替えて出力するモニタ切り替え手段とを備えたことを特徴とする。
【発明の効果】
【００１０】
この発明によれば、監視カメラ装置から２系統の映像信号を映像信号記録再生装置へ送信することにより、映像信号記録再生装置の負担を増大させずに、動きの滑らかな映像を表示すると共に、高い圧縮率により映像信号を圧縮して長時間記録することができる。
【図面の簡単な説明】
【００１１】
【図１】この発明の実施の形態１に係る監視カメラ装置および映像信号記録再生装置の構成図である。
【図２】この発明の実施の形態１に係る監視カメラ装置および映像信号記録再生装置の処理の流れを示すフローチャートである。
【図３】この発明の実施の形態２に係る監視カメラ装置および映像信号記録再生装置の構成図である。
【発明を実施するための形態】
【００１２】
実施の形態１．
図１は、この発明の実施の形態１に係る監視カメラ装置および映像信号記録再生装置の構成図である。図１に示すようにこの監視カメラ装置および映像信号記録再生装置は、監視エリアの映像を撮像して、ライブ用映像信号Ｓ１と記録用映像信号Ｓ２の２系統の映像信号を生成する監視カメラ装置１−１〜１−Ｎと、記録用映像信号Ｓ２を記録し、ライブ用映像信号Ｓ１または記録用映像信号Ｓ２をモニタ３へ出力する映像信号記録再生装置２から構成されている。
ここで、ライブ用映像信号Ｓ１は、リアルタイムで動いている監視対象を見るのに用いられる場合が多く、高フレームレートで動きが見えることが重要となる。一方、記録用映像信号Ｓ２は、盗難や事故など不測の事態が起きた瞬間をコマ送りで詳細に見るのに用いられる場合が多く、画像サイズが大きく高解像度であることが重要となる。
【００１３】
監視カメラ装置１−１〜１−Ｎはそれぞれ、撮像素子４と、第１のフレーム間引き画像サイズ縮小手段５と、第２のフレーム間引き画像サイズ縮小手段６と、制御部７と、符号化圧縮手段８と、伝送インタフェース９とを有する。
また、映像信号記録再生装置２は、伝送インタフェース１０と、制御部１１と、記録媒体１２と、モニタ出力切替手段１３と、符号化データ伸張手段１４とを有する。
【００１４】
撮像素子４は、監視カメラ装置１−１〜１−Ｎの監視エリアの映像を撮像して映像信号を生成して、第１のフレーム間引き画像サイズ縮小手段５と第２のフレーム間引き画像サイズ縮小手段６へ出力する。例えば、撮像素子４は、毎秒３０フレームの映像信号を生成する。
【００１５】
第１のフレーム間引き画像サイズ縮小手段５は、撮像素子４から入力された映像信号のフレームレートを第１のフレームレートに間引くと共に、画像サイズを第１の画像サイズに縮小して符号化圧縮手段８に出力する。
例えば、第１のフレーム間引き画像サイズ縮小手段５は、撮像素子４から入力された毎秒３０フレームの映像信号を、毎秒１５フレームに間引き、画像サイズを３分の１に縮小する。なお、フレーム間引きの間隔および画像サイズの縮小率は、制御部７によって制御される。
【００１６】
第２のフレーム間引き画像サイズ縮小手段６は、撮像素子４から入力された映像信号のフレームレートを第１のフレームレートよりも低い第２のフレームレートに間引くと共に、画像サイズを第１の画像サイズよりも大きい第２の画像サイズに縮小して、符号化圧縮手段８に出力する。
例えば、第２のフレーム間引き画像サイズ縮小手段６は、撮像素子４から入力された毎秒３０フレームの映像信号を、毎秒５フレームに間引き、画像サイズを２分の１に縮小する。なお、フレーム間引きの間隔と画像サイズの縮小率は、制御部７によって制御される。
【００１７】
符号化圧縮手段８は、第１のフレーム間引き画像サイズ縮小手段５から入力された映像信号を符号化し、ライブ用映像信号Ｓ１として伝送インタフェース９に出力し、また、第２のフレーム間引き画像サイズ縮小手段６から入力された映像信号を符号化し、記録用映像信号Ｓ２として伝送インタフェース９に出力する。なお、符号化時の圧縮率は、制御部７によって制御される。
【００１８】
制御部７は、伝送インタフェース９から入力されたユーザからの指示を示す制御信号に基づき、第１のフレーム間引き画像サイズ縮小手段５の第１のフレームレートおよび第１の画像サイズと、第２のフレーム間引き画像サイズ縮小手段６の第２のフレームレートおよび第２の画像サイズと、符号化圧縮手段８の圧縮率とをそれぞれ制御する。
【００１９】
伝送インタフェース９は、符号化圧縮手段８から入力されたライブ用映像信号Ｓ１と記録用映像信号Ｓ２を、映像信号記録再生装置２の伝送インタフェース１０に送信し、また、伝送インタフェース１０から受信した制御信号を制御部７に出力する。
【００２０】
伝送インタフェース１０は、監視カメラ装置１−１〜１−Ｎの各伝送インタフェース９から受信した、ライブ用映像信号Ｓ１をモニタ出力切替手段１３に出力し、記録用映像信号Ｓ２を記録媒体１２に出力し、制御部１１から入力された制御信号を、監視カメラ装置１−１〜１−Ｎに送信する。
【００２１】
記録媒体１２は、伝送インタフェース１０から入力された記録用映像信号Ｓ２を記録し、また、制御部１１からの制御に応じて記録した記録用映像信号Ｓ２をモニタ出力切替手段１３に出力する。
【００２２】
モニタ出力切替手段１３は、伝送インタフェース１０から入力されたライブ用映像信号Ｓ１または記録媒体１２に記録された記録映像信号Ｓ２を符号化データ伸張手段１４に出力する。なお、モニタ出力切替手段１３から符号化データ伸張手段１４へ出力される映像信号の切替は、制御部１１によって制御される。
【００２３】
符号化データ伸張手段１４は、モニタ出力切替手段１３から入力された映像信号を復号し、モニタ３に出力する。
【００２４】
制御部１１は、ユーザにより入力された指示に従い、記録媒体１２から映像信号を出力するか否かと、モニタ出力切替手段１３から符号化データ伸張手段１４へ出力される映像信号の切替を制御する。
また、制御部１１は、ユーザにより入力される指示に従い、監視カメラ装置１−１〜１−Ｎの各第１のフレーム間引き画像サイズ縮小手段５の第１のフレームレートおよび第１の画像サイズと、各第２のフレーム間引き画像サイズ縮小手段６の第２のフレームレートおよび第２の画像サイズと、各符号化圧縮手段８の符号化時の圧縮率についての制御信号を伝送インタフェース１０に出力する。
モニタ３は、符号化データ伸張手段１４により復号された映像信号を表示する。
【００２５】
次に、動作について説明する。図２は、この発明の実施の形態１に係る監視カメラ装置および映像信号記録再生装置の処理の流れを示すフローチャートである。図２に示されたステップＳＴ０２〜ステップＳＴ０５までが監視カメラ装置における処理を示し、ステップＳＴ０１とステップＳＴ０６からステップＳＴ１０までが映像信号記録再生装置における処理を示している。
図２に示すように、まず、映像信号記録再生装置２の制御部１１が、ユーザにより入力された指示に基づき、映像信号記録再生装置２のモニタ出力切替手段１３のライブ用映像信号Ｓ１と記録用映像信号Ｓ２のどちらをモニタ３に表示するか設定し、また、監視カメラ装置１−１〜１−Ｎの第１のフレーム間引き画像サイズ縮小手段５の第１のフレームレートと第１の画像サイズを設定し、第２のフレーム間引き画像サイズ縮小手段６の第２のフレームレートと第２の画像サイズを設定し、符号化圧縮手段８の符号化時の圧縮率を設定する制御信号を伝送インタフェース１０を介して監視カメラ装置１−１〜１−Ｎへ送信する（ステップＳＴ０１）。
【００２６】
次に、撮像素子４が、映像を撮像して所定のフレームレートと画像サイズの映像信号を生成する（ステップＳＴ０２）。そして、第１のフレーム間引き画像サイズ縮小手段５が、撮像素子４により生成された映像信号のフレームレートを第１のフレームレートに間引くと共に、画像サイズを第１の画像サイズに縮小し、また、第２のフレーム間引き画像サイズ縮小手段６が、撮像素子４により生成された映像信号のフレームレートを第１のフレームレートよりも低い第２のフレームレートに間引くと共に、画像サイズを第１の画像サイズよりも大きい第２の画像サイズに縮小して、２系統の映像信号に変換する（ステップＳＴ０３）。
【００２７】
その後、符号化圧縮手段８が、制御部７による制御に基づいて、第１のフレーム間引き画像サイズ縮小手段５により変換された映像信号を符号化してライブ用映像信号Ｓ１として伝送インタフェース９に出力し、同様に、第２のフレーム間引き画像サイズ縮小手段６により変換された映像信号を符号化して記録用映像信号Ｓ２として伝送インタフェース９に出力する（ステップＳＴ０４）。
その後、伝送インタフェース９が、ライブ用映像信号Ｓ１と記録用映像信号Ｓ２を映像信号記録再生装置２に送信する（ステップＳＴ０５）。
【００２８】
映像信号記録再生装置２は、監視カメラ装置１−１〜１−Ｎから２系統の映像信号を受信すると、伝送インタフェース１０が、ライブ用映像信号Ｓ１をモニタ出力切替手段１３へ出力し、記録用映像信号Ｓ２を記録媒体１２へ出力し、記録媒体１２は、入力された記録用映像信号Ｓ２を記録する（ステップＳＴ０６）。
【００２９】
ここで、制御部１１によりモニタ３にライブ用映像信号Ｓ１を表示すると設定されている場合（ステップＳＴ０７がＹＥＳの場合）、モニタ出力切替手段１３が伝送インタフェース１０から入力されたライブ用映像信号Ｓ１を符号化データ伸張手段１４へ出力して、符号化データ伸張手段１４はライブ用映像信号Ｓ１を復号する（ステップＳＴ０８）。
【００３０】
一方、制御部１１によりモニタ３に記録用映像信号Ｓ２を表示すると設定されている場合（ステップＳＴ０７がＮＯの場合）には、記録媒体１２が記録用映像信号Ｓ２をモニタ出力切替手段１３へ出力し、モニタ出力切替手段１３が記録用映像信号Ｓ２を符号化データ伸張手段１４へ出力して、符号化データ伸張手段１４は記録用映像信号Ｓ２を復号する（ステップＳＴ０９）。
その後、モニタ３が符号化データ伸張手段１４により復号されたライブ用映像信号Ｓ１または記録用映像信号Ｓ２を表示して（ステップＳＴ１０）、処理を終了する。
【００３１】
なお、実施の形態１においては、第１のフレーム間引き画像サイズ縮小手段５と第２のフレーム間引き画像サイズ縮小手段６を備える構成としているが、撮像素子４により生成された映像信号を、フレームレートと画像サイズの異なる２系統の映像信号に変換することができれば、フレーム間引き画像サイズ縮小手段を１つのみ有する構成としてもよい。
【００３２】
以上のように、この実施の形態１によれば、監視カメラ装置１−１〜１−Ｎを、撮像された映像信号のフレームレートを第１のフレームレートに間引くと共に画像サイズを第１の画像サイズに縮小する第１のフレーム間引き画像サイズ縮小手段５と、撮像された映像信号のフレームレートを第１のフレームレートよりも低い第２のフレームレートに間引くと共に画像サイズを第１の画像サイズよりも大きい第２の画像サイズに縮小する第２のフレーム間引き画像サイズ縮小手段６と、第１のフレーム間引き画像サイズ縮小手段５からの映像信号を符号化してライブ用映像信号Ｓ１として出力すると共に、第２のフレーム間引き画像サイズ縮小手段６からの映像信号を符号化して記録用映像信号Ｓ２として出力する符号化圧縮手段８とを備えるように構成したので、映像信号記録再生装置２の負担を増大させずに、動きの滑らかな映像を表示すると共に、高い圧縮率により映像信号を圧縮して長時間記録することができる。
【００３３】
また、この実施の形態１によれば、映像信号記録再生装置２を、記録用映像信号Ｓ２を記録する記録媒体１２と、入力されたライブ用映像信号Ｓ１と記録用映像信号Ｓ２を切り替えて出力するモニタ出力切替手段１３とを備えるように構成したので、映像信号記録再生装置２の負担を増大させずに、動きの滑らかな映像を表示すると共に、高い圧縮率により映像信号を圧縮して長時間記録することができる。
【００３４】
実施の形態２．
実施の形態１ではライブ用映像信号Ｓ１、記録用映像信号Ｓ２とも共通の符号化圧縮手段８において符号化したが、ライブ用映像信号Ｓ１、記録用映像信号Ｓ２はそれぞれ別の符号化圧縮手段において符号化してもよい。以下図を用いて詳細に説明する。
【００３５】
図３は、この発明の実施の形態２に係る監視カメラ装置および映像信号記録再生装置を示す構成図であり、実施の形態１の図１に示す監視カメラ装置および映像信号記録再生装置を示すブロック構成図に対して、監視カメラ装置１−１〜１−Ｎが符号化圧縮手段８の代わりに第１の符号化圧縮手段１５および第２の符号化圧縮手段１６を有する点で異なる。なお、実施の形態１と同様の構成には同一の符号を付して重複した説明を省略する。
【００３６】
監視カメラ装置１−１〜１−Ｎは、撮像素子４と、第１のフレーム間引き画像サイズ縮小手段５と、第２のフレーム間引き画像サイズ縮小手段６と、制御部７と、第１の符号化圧縮手段１５と、第２の符号化圧縮手段１６と、伝送インタフェース９を有する。
【００３７】
第１のフレーム間引き画像サイズ縮小手段５は、撮像素子４から入力された映像信号のフレームレートを第１のフレームレートに間引くと共に、画像サイズを第１の画像サイズに縮小して第１の符号化圧縮手段１５に出力する。なお、フレーム間引きの間隔および画像サイズの縮小率は制御部７により制御される。
【００３８】
第２のフレーム間引き画像サイズ縮小手段６は、撮像素子４から入力された映像信号のフレームレートを第１のフレームレートよりも低い第２のフレームレートに間引くと共に、画像サイズを第１の画像サイズよりも大きい第２の画像サイズに縮小して、第２の符号化圧縮手段１６に出力する。なお、フレーム間引きの間隔および画像サイズの縮小率は制御部７により制御される。
【００３９】
第１の符号化圧縮手段１５は、第１のフレーム間引き画像サイズ縮小手段５から入力された映像信号を、第１の圧縮率で符号化して、ライブ用映像信号Ｓ１として伝送インタフェース９に出力する。
例えば第１の符号化圧縮手段１５は、２分の１サイズに圧縮符号化し、ライブ用映像信号Ｓ１として伝送インタフェース９に出力する。符号化時の圧縮率が大きいほど、符号化および復号時の負荷が大きくなるため、リアルタイムの映像として表示されるライブ用映像信号Ｓ１は、圧縮率は小さくて良い。符号化時の圧縮率は、制御部７によって制御される。
【００４０】
第２の符号化圧縮手段１６は、第２のフレーム間引き画像サイズ縮小手段６から入力された映像信号を、第１の圧縮率よりも高い第２の圧縮率で符号化して、記録用映像信号Ｓ２として伝送インタフェース９に出力する。
例えば第２の符号化圧縮手段１６は、３分の１サイズに圧縮符号化し、記録用映像信号Ｓ２として伝送インタフェース９に出力する。符号化時の圧縮率が大きいほど、映像データの情報量は小さくなるため、記録媒体１２に記録される記録用映像信号Ｓ２は、圧縮率を大きくする。符号化時の圧縮率は、制御部７によって制御される。
【００４１】
制御部７は、伝送インタフェース９から入力された制御信号に基づき、第１のフレーム間引き画像サイズ縮小手段５の第１のフレームレートおよび第１の画像サイズと、第２のフレーム間引き画像サイズ縮小手段６の第２のフレームレートおよび第２の画像サイズと、第１の符号化圧縮手段１５の第１の圧縮率と、第２の符号化圧縮手段１６の第２の圧縮率とをそれぞれ制御する。
【００４２】
制御部１１は、ユーザにより入力された指示に従い、記録媒体１２から映像信号を出力するか否かと、モニタ出力切替手段１３から符号化データ伸張手段１４へ出力される映像信号の切替を制御する。
また、制御部１１は、ユーザにより入力される指示に従い、監視カメラ装置１−１〜１−Ｎの各第１のフレーム間引き画像サイズ縮小手段５の第１のフレームレートおよび第１の画像サイズと、各第２のフレーム間引き画像サイズ縮小手段６の第２のフレームレートおよび第２の画像サイズと、各第１の符号化圧縮手段１５の第１の圧縮率と、各第２の符号化圧縮手段１６の第２の圧縮率についての制御信号を伝送インタフェース１０に出力する。
【００４３】
次に動作について説明する。ここで、この発明の実施の形態２に係る監視カメラ装置および映像信号記録再生装置の処理の流れの概要は、実施の形態１の図２に示されたフローチャートと同じであるため、図２を用いて説明する。
図２に示すように、まず、映像信号記録再生装置２の制御部１１が、ユーザにより入力された指示に基づき、映像信号記録再生装置２のモニタ出力切替手段１３のライブ用映像信号Ｓ１と記録用映像信号Ｓ２のどちらをモニタ３に表示するか設定し、また、監視カメラ装置１−１〜１−Ｎの第１のフレーム間引き画像サイズ縮小手段５の第１のフレームレートと第１の画像サイズを設定し、第２のフレーム間引き画像サイズ縮小手段６の第２のフレームレートと第２の画像サイズを設定し、第１の符号化圧縮手段１５の第１の圧縮率を設定し、第２の符号化圧縮手段１６の第２の圧縮率を設定する制御信号を伝送インタフェース１０を介して監視カメラ装置１−１〜１−Ｎへ送信する（ステップＳＴ０１）。
【００４４】
実施の形態２において、図２に示されたステップＳＴ０２，ステップＳＴ０３は、実施の形態１と同様であるため説明を省略する。
【００４５】
ステップＳＴ０３により第１のフレーム間引き画像サイズ縮小手段５と第２のフレーム間引き画像サイズ縮小手段６により２系統の映像信号に変換されると、第１の符号化圧縮手段１５が、第１のフレーム間引き画像サイズ縮小手段５により変換された映像信号を符号化してライブ用映像信号Ｓ１として伝送インタフェース９に出力し、また、第２の符号化圧縮手段１６が、第２のフレーム間引き画像サイズ縮小手段６により変換された映像信号を符号化して記録用映像信号Ｓ２として伝送インタフェース９に出力する（ステップＳＴ０４）。
【００４６】
実施の形態２において、図２に示されたステップＳＴ０５からステップＳＴ１０は、実施の形態１と同様であるため説明を省略する。
ステップＳＴ１０において、モニタ３が符号化データ伸張手段１４により復号された映像信号を表示した後、処理を終了する。
【００４７】
以上のように、実施の形態２によれば、監視カメラ装置１−１〜１−Ｎを、撮像された映像信号のフレームレートを第１のフレームレートに間引くと共に画像サイズを第１の画像サイズに縮小する第１のフレーム間引き画像サイズ縮小手段５と、撮像された映像信号のフレームレートを第１のフレームレートよりも低い第２のフレームレートに間引くと共に画像サイズを第１の画像サイズよりも大きい第２の画像サイズに縮小する第２のフレーム間引き画像サイズ縮小手段６と、第１のフレーム間引き画像サイズ縮小手段５からの映像信号を第１の圧縮率で符号化してライブ用映像信号Ｓ１として送信する第１の符号化圧縮手段１５と、第２のフレーム間引き画像サイズ縮小手段６からの映像信号を第１の圧縮率よりも高い第２の圧縮率で符号化して記録用映像信号Ｓ２として送信する第２の符号化圧縮手段１６とを備えるように構成したので、実施の形態１と同様の効果が得られると共に、ライブ用映像信号Ｓ１と記録用映像信号Ｓ２とで異なる圧縮率により符号化することが可能となり、ライブ用映像信号Ｓ１の圧縮率を小さくし、符号化および復号時の負荷をさらに低減して撮影から表示までの遅延を軽減することができ、記録用映像信号Ｓ２の圧縮率は大きくして映像データの情報量をさらに小さくすることができる。
【００４８】
また、実施の形態２によれば、映像信号記録再生装置２を、記録用映像信号Ｓ２を記録する記録媒体１２と、受信したライブ用映像信号Ｓ１と記録用映像信号Ｓ２を切り替えて出力するモニタ出力切替手段１３とを備えるように構成したので、実施の形態１と同様の効果が得られると共に、ライブ用映像信号Ｓ１と記録用映像信号Ｓ２とで異なる圧縮率により符号化することが可能となり、ライブ用映像信号Ｓ１の圧縮率を小さくして符号化および復号時の負荷をさらに低減し、記録用映像信号Ｓ２の圧縮率は大きくして映像データの情報量をさらに小さくすることができる。
【００４９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５０】
１−１〜１−Ｎ  監視カメラ装置、２  映像信号記録再生装置、３  モニタ、４  撮像素子、５  第１のフレーム間引き画像サイズ縮小手段、６  第２のフレーム間引き画像サイズ縮小手段、７  制御部、８  符号化圧縮手段、９  伝送インタフェース、１０  伝送インタフェース、１１  制御部、１２  記録媒体、１３  モニタ出力切替手段、１４  符号化データ伸張手段、１５  第１の符号化圧縮手段、１６  第２の符号化圧縮手段。
【図１】
2013225796.tif 000003
【図２】
2013225796.tif 000004
【図３】
2013225796.tif 000005